【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
荷重軽減減圧治療システムであって：
荷重軽減減圧治療装置を具えており、当該荷重軽減減圧治療装置が：
荷重軽減マニホールド材料で形成された足底部材であって；
前記荷重軽減マニホールド材料が：
第１の組織対向面と第２の面とを有する支持層と、
第１の組織対向面と第２の面とを有する圧力伝達層であって、当該圧力伝達層の第１の組織対向面が前記支持層の第２の面と結合されている圧力伝達層と、
第１の組織対向面と第２の面とを有する第１の障壁層であって、当該第１の障壁層の第１の組織対向面が前記圧力伝達層の第２の面と結合されている第１の障壁層と、を具える足底部材と；
前記足底部材の前記圧力伝達層と流体結合する減圧インタフェースと；
減圧源と；
前記減圧源および前記減圧インタフェースに流体結合する減圧送達導管とを具えることを特徴とする荷重軽減減圧治療システム。
【請求項２】
請求項１に記載の荷重軽減減圧治療システムにおいて、前記圧力伝達層が、前記支持層、前記第１の障壁層、およびシールによって密閉されていることを特徴とする荷重軽減減圧治療システム。
【請求項３】
請求項１に記載の荷重軽減減圧治療システムにおいて、前記荷重軽減減圧治療装置がさらに前記荷重軽減マニホールド材料で形成された足背部材を具えており、当該足背部材の前記圧力伝達層が前記足底部材の前記圧力伝達層と流体結合されていることを特徴とする荷重軽減減圧治療システム。
【請求項４】
請求項１に記載の荷重軽減減圧治療システムにおいて、前記荷重軽減減圧治療装置がさらに前記荷重軽減マニホールド材料で形成された架橋部材を具えており、当該架橋部材の前記圧力伝達層が前記足底部材の前記圧力伝達層と流体結合し、前記減圧インタフェースが前記架橋部材と結合されていることを特徴とする荷重軽減減圧治療システム。
【請求項５】
請求項１に記載の荷重軽減減圧治療システムにおいて、前記荷重軽減減圧治療装置がさらに：
前記荷重軽減マニホールド材料で形成された足背部材であって、当該足背部材の前記圧力伝達層が前記足底部材の前記圧力伝達層と流体結合している足背部材と；
前記荷重軽減マニホールド材料で形成された架橋部材であって、当該架橋部材の前記圧力伝達層が前記足底部材の前記圧力伝達層と流体結合し、前記減圧インタフェースと結合されている架橋部材とを具えることを特徴とする荷重軽減減圧治療システム。
【請求項６】
請求項１に記載の荷重軽減減圧治療システムにおいて、前記荷重軽減マニホールド材料が：
開口セルフォーム材料を含む前記圧力伝達層を具えるとともに、
前記支持層が閉鎖セルフォーム材料を含むことを特徴とする荷重軽減減圧治療システム。
【請求項７】
請求項１に記載の荷重軽減減圧治療システムにおいて、第１のボイドを形成するために前記足底部材の前記支持層の一部が取り外し可能であり、前記足底部材の前記圧力伝達層が前記第１のボイドに減圧を送達するように動作可能であることを特徴とする荷重軽減減圧治療システム。
【請求項８】
請求項５に記載の荷重軽減減圧治療システムにおいて、第１のボイドを形成するために前記足底部材の前記支持層の一部が取り外し可能であり、前記足底部材の前記圧力伝達層が前記第１のボイドに減圧を送達するように動作可能であって、第２のボイドを形成するために前記足背部材の前記支持層の一部が取り外し可能であり、前記足背部材の前記圧力伝達層が前記第２のボイドに減圧を送達するように動作可能であることを特徴とする荷重軽減減圧治療システム。
【請求項９】
荷重軽減マニホールド材料で形成された足底部材であって；
前記荷重軽減マニホールド材料が：
第１の面と第２の面とを有する支持層と、
第１の面と第２の面とを有する圧力伝達層であって、当該圧力伝達層の第１の面が前記支持層の第２の面と結合されている圧力伝達層と、
第１の面と第２の面とを有する第１の障壁層であって、当該第１の障壁層の第１の面が前記圧力伝達層の第２の面と結合されている第１の障壁層と、を具える足底部材と；
前記足底部材の前記圧力伝達層と流体結合している減圧インタフェースとを具えることを特徴とする荷重軽減減圧治療装置。
【請求項１０】
請求項９に記載の荷重軽減減圧治療装置において、前記圧力伝達層が、前記支持層、前記第１の障壁層、およびシールによって密閉されていることを特徴とする荷重軽減減圧治療装置。
【請求項１１】
請求項９に記載の荷重軽減減圧治療装置がさらに、前記荷重軽減マニホールド材料で形成された足背部材を具えており、当該足背部材の前記圧力伝達層が前記足底部材の前記圧力伝達層と流体結合していることを特徴とする荷重軽減減圧治療装置。
【請求項１２】
請求項９に記載の荷重軽減減圧治療装置がさらに、前記荷重軽減マニホールド材料で形成された架橋部材を具えており、当該架橋部材の前記圧力伝達層が前記足底部材の前記圧力伝達層と流体結合しており、前記減圧インタフェースが前記架橋部材と結合されていることを特徴とする荷重軽減減圧治療装置。
【請求項１３】
請求項９に記載の荷重軽減減圧治療装置がさらに：
前記荷重軽減マニホールド材料で形成された足背部材であって、当該足背部材の前記圧力伝達層が前記足底部材の前記圧力伝達層と流体結合している足背部材と；
前記荷重軽減マニホールド材料で形成された架橋部材であって、当該架橋部材の前記圧力伝達層が前記足底部材の前記圧力伝達層と流体結合し、前記減圧インタフェースと結合されている架橋部材とを具えることを特徴とする荷重軽減減圧治療装置。
【請求項１４】
請求項１３に記載の荷重軽減減圧治療装置において、第１のボイドを形成するために前記足底部材の前記支持層の一部が取り外し可能であり、前記足底部材の前記圧力伝達層が前記第１のボイドに減圧を送達するように動作可能であって、第２のボイドを形成するために前記足背部材の前記支持層の一部が取り外し可能であり、前記足背部材の前記圧力伝達層が前記第２のボイドに減圧を送達するように動作可能であることを特徴とする荷重軽減減圧治療装置。
【請求項１５】
請求項９に記載の荷重軽減減圧治療装置において、前記荷重軽減マニホールド材料が：
開口セルフォーム材料を含む前記圧力伝達層を具えるとともに、
前記支持層が閉鎖セルフォーム材料を含むことを特徴とする荷重軽減減圧治療装置。
【請求項１６】
請求項９に記載の荷重軽減減圧治療装置において、第１のボイドを形成するために前記足底部材の前記支持層の一部が取り外し可能であり、前記足底部材の前記圧力伝達層が前記第１のボイドに減圧を送達するように動作可能であることを特徴とする荷重軽減減圧治療装置。
【請求項１７】
請求項９に記載の荷重軽減減圧治療装置において、前記荷重軽減マニホールド材料が外縁部を有しており、前記荷重軽減マニホールド材料が前記外縁部に近位の密閉部材によって密閉されることを特徴とする荷重軽減減圧治療装置。
【請求項１８】
請求項９に記載の荷重軽減減圧治療装置において、前記支持層がさらに、前記荷重軽減減圧治療装置の寸法調整を実現する調整部を具えることを特徴とする荷重軽減減圧治療装置。
【請求項１９】
荷重軽減マニホールド材料で形成された足底部材であって；
前記荷重軽減マニホールド材料が：支持層と、圧力伝達層と、第１の障壁層とを具える足底部材と；
前記足底部材の前記圧力伝達層と流体結合している減圧インタフェースとを具える荷重軽減減圧治療装置において；
前記支持層および前記圧力伝達層が、前記圧力伝達層を形成し、前記支持層を形成するように非通気性材料でコーティングされた細孔（１センチメートルあたり４０孔以下）の開口セルフォームで形成された、単一の層を具えることを特徴とする荷重軽減減圧治療装置。
【請求項２０】
請求項１９に記載の荷重軽減減圧治療装置において、前記圧力伝達層が、前記第１の障壁層および前記非通気性材料によって密閉されることを特徴とする荷重軽減減圧治療装置。
【請求項２１】
荷重軽減減圧治療装置を製造する方法において、当該方法が：
荷重軽減マニホールド材料でできたシートを提供するステップであって、前記荷重軽減マニホールド材料が：
第１の面と第２の面とを有する支持層と、
減圧を送達するよう適合し、第１の面と第２の面とを有する圧力伝達層であって、当該圧力伝達層の第１の面が前記支持層の第２の面と結合されている圧力伝達層と、
第１の面と第２の面とを有する第１の障壁層であって、当該第１の障壁層の第１の面が前記圧力伝達層の第２の面と結合されている第１の障壁層とを有するステップと；
前記荷重軽減減圧治療装置を形成するために前記シートを切断するステップとを具えることを特徴とする製造方法。
【請求項２２】
請求項２１に記載の製造方法がさらに、前記荷重軽減減圧治療装置を形成するために前記シートを折りたたむステップを具えることを特徴とする製造方法。
【請求項２３】
請求項２１に記載の製造方法において：
前記荷重軽減マニホールド材料でできた前記圧力伝達層が開口セルフォーム材料を含み、
前記荷重軽減マニホールド材料でできた前記支持層が閉鎖セルフォーム材料を含むことを特徴とする製造方法。
【請求項２４】
請求項２１に記載の製造方法において、前記荷重軽減減圧治療装置を形成するために前記シートを切断するステップが、足底部材、架橋部材、および足背部材を形成するために前記シートを切断するステップを具えることを特徴とする製造方法。
【請求項２５】
請求項２１に記載の製造方法において、前記圧力送達層が、前記支持層、前記第１の障壁層、およびシールによって密閉されていることを特徴とする製造方法。